(57)【特許請求の範囲】
【請求項１】
第１のチャンネル入力端子と、
第２のチャンネル入力端子と、
各々が第１、第２入力と出力を備えた第１及び第２の差動増幅器と、
各々が第１端子、第２端子及びセンタータップ端子を備えた第１、第２、第３及び第４ポテンシオメータと、
第１、第２、第３及び第４の抵抗器と
を備え、
前記第１ポテンシオメータの前記第１端子が前記第１チャンネル入力端子に接続され、
前記第１ポテンシオメータの前記第２端子が前記第２チャンネル入力端子に接続され、
前記第１ポテンシオメータの前記センタータップ端子が前記第１差動増幅器の前記第１入力に接続され、
前記第２ポテンシオメータの前記第１端子が前記第１チャンネル入力端子に接続され、
前記第２ポテンシオメータの前記第２端子が前記第２チャンネル入力端子に接続され、
前記第２ポテンシオメータの前記センタータップ端子が前記第２差動増幅器の前記第１入力に接続され、
前記第１の抵抗器が前記第１のチャンネル入力端子に接続された第１端子と前記第３ポテンシオメータの前記第１の端子に接続された第２端子とを有し、
前記第２の抵抗器が前記第２のチャンネル入力端子に接続された第１端子と前記第３ポテンシオメータの前記第２の端子に接続された第２端子とを有し、
前記第３のポテンシオメータの前記センタータップ端子が前記第１差動増幅器の前記第２の入力に接続され、
前記第４ポテンシオメータの前記第１の端子が前記第３ポテンシオメータの前記第１の端子に接続され、
前記第４ポテンシオメータの前記第２の端子が前記第３ポテンシオメータの前記第２の端子に接続され、
前記第４ポテンシオメータの前記センタータップ端子が前記第２の差動増幅器の前記第２の入力に接続され、
前記第３の抵抗器が前記第３ポテンシオメータの前記第１端子に接続された第１端子と接地された第２端子を有し、
前記第４の抵抗器が前記第３ポテンシオメータの前記第２端子に接続された第１端子と接地された第２端子を有し、
前記第１抵抗器と前記第２抵抗器の値が等しく、
前記第３抵抗器と前記第４抵抗器の値が等しく、
前記第１抵抗器の値がＲ１で前記第３抵抗器の値がＲ３で、
０≦〔Ｒ３／（Ｒ１＋Ｒ３）〕＜１であるオーディオイメージ制御装置。
【請求項２】
請求項１に記載のオーディオイメージ制御装置において、前記第１及び第２の差動増幅器の前記第１の入力が非反転入力であり、前記第１及び第２の差動増幅器の前記第２の入力が反転入力であるオーディオイメージ制御装置。
【請求項３】
請求項１に記載のオーディオイメージ制御装置において、前記第１及び第２の差動増幅器の前記第１の入力が反転入力であり、前記第１及び第２の差動増幅器の前記第２の入力が非反転入力であるオーディオイメージ制御装置。
【請求項４】
請求項１に記載のオーディオイメージ制御装置において、前記第１、第２、第３及び第４ポテンシオメータが単一制御シャフト上に連携して同時に変えることができるようにしたオーディオイメージ制御装置。
【請求項５】
請求項１に記載のオーディオイメージ制御装置において、前記第１、第２、第３及び第４ポテンシオメータを動かせる可動化されたアクチュエータを含むオーディオイメージ制御装置。
【請求項６】
請求項５に記載のオーディオイメージ制御装置において、制御信号に応答して前記可動化されたアクチュエータを制御する制御手段を含むオーディオイメージ制御装置。
【請求項７】
請求項６に記載のオーディオイメージ制御装置において、前記制御手段に対して制御信号を蓄積するためのメモリ装置を含むオーディオイメージ制御装置。
【請求項８】
第１チャンネル入力端子と、
第２チャンネル入力端子と、
オーディオ信号を増幅し、各々が第１及び第２入力を備える第１及び第２増幅器手段と、
前記第１及び第２のチャンネル入力端子の間に結合され、前記第１及び第２のチャンネル入力端子の信号を前記第１増幅器手段の前記第１入力に可変的に接続する第１可変抵抗手段と、
前記第１及び第２のチャンネル入力端子の間に結合され、前記第１及び第２のチャンネル入力端子の信号を前記第２増幅器手段の前記第１入力に可変的に接続する第２可変抵抗手段と、
第１及び第２固定抵抗器を介して前記第１及び第２のチャンネル入力端子の間に結合され、前記第１及び第２のチャンネル入力端子の信号を前記第１増幅器手段の前記第２入力に可変的に接続する第３可変抵抗手段と、
前記第１及び第２固定抵抗器を介して前記第１及び第２のチャンネル入力端子の間に結合され、前記第１及び第２のチャンネル入力端子の信号を前記第２増幅器手段の前記第２入力に可変的に接続する第４可変抵抗手段と、
を含むオーディオイメージ制御装置。
【請求項９】
請求項８に記載のオーディオイメージ制御装置において、前記第１、第２、第３及び第４の可変抵抗手段が回転ポテンシオメータを含むオーディオイメージ制御装置。
【請求項１０】
請求項９に記載のオーディオイメージ制御装置において、前記第１、第２、第３及び第４の可変抵抗手段が単一共通回転ポテンシオメータシャフトを共有するオーディオイメージ制御装置。
【請求項１１】
請求項１０に記載のオーディオイメージ制御装置において、前記第１、第２、第３及び第４の可変抵抗手段がコンピュータ制御された抵抗手段を有するオーディオイメージ制御装置。
【請求項１２】
請求項１１に記載のオーディオイメージ制御装置において、操作者によって開始される制御信号に従って前記コンピュータ制御された抵抗手段を可変的に制御する制御手段を含むオーディオイメージ制御装置。
【請求項１３】
請求項１２に記載のオーディオイメージ制御装置において、制御信号データを蓄積する蓄積手段を含むオーディオイメージ制御装置。
【請求項１４】
第１チャンネル入力端子と、
第２チャンネル入力端子と、
オーディオ信号を増幅し、各々が第１、第２入力及び出力を備える第１及び第２増幅器手段と、
各々が第１端子、第２端子及び可変センタータップを含む第１、第２、第３及び第４可変抵抗手段と
を備え、
前記第１の可変抵抗手段は、前記第１増幅器手段の前記第１入力への入力を可変的に制御し、
前記第２の可変抵抗手段は、前記第２増幅器手段の前記第１入力への入力を可変的に制御し、
前記第３の可変抵抗手段は、前記第１増幅器手段の前記第２入力への入力を可変的に制御し、
前記第４の可変抵抗手段は、前記第２増幅器手段の前記第２入力への入力を可変的に制御し、
前記第１及び第３可変抵抗手段の前記第１端子が前記第１チャンネル入力端子に結合され、前記第１及び第３可変抵抗手段の前記第２端子が前記第２チャンネル入力端子に結合され、
前記第２及び第４可変抵抗手段の前記第２端子が前記第１チャンネル入力端子に結合され、前記第２及び第４可変抵抗手段の前記第１端子が前記第２チャンネル入力端子に結合され、
前記第１可変抵抗手段の前記可変センタータップが前記第１増幅器手段の前記第１入力に結合され、
前記第２可変抵抗手段の前記可変センタータップが前記第２増幅器手段の前記第１入力に結合され、
前記第３可変抵抗手段の前記可変センタータップが前記第１増幅器手段の前記第２入力に結合され、
前記第４可変抵抗手段の前記可変センタータップが前記第２増幅器手段の前記第２入力に結合されているオーディオイメージ制御装置。
【請求項１５】
第１チャンネル入力端子と、
第２チャンネル入力端子と、
オーディオ信号を増幅し、各々が第１、第２入力及び出力を備える第１及び第２増幅器手段と、
各々が第１端子、第２端子及び可変センタータップを含む第１、第２、第３及び第４可変抵抗手段と
を備え、
前記第１の可変抵抗手段は、前記第１増幅器手段の前記第１入力への入力を可変的に制御し、
前記第２の可変抵抗手段は、前記第２増幅器手段の前記第１入力への入力を可変的に制御し、
前記第３の可変抵抗手段は、前記第１増幅器手段の前記第２入力への入力を可変的に制御し、
前記第４の可変抵抗手段は、前記第２増幅器手段の前記第２入力への入力を可変的に制御し、
前記第１及び第３可変抵抗手段の前記第１端子が前記第１チャンネル入力端子に結合され、前記第１及び第３可変抵抗手段の前記第２端子が前記第２チャンネル入力端子に結合され、
前記第２及び第４可変抵抗手段の前記第２端子が前記第１チャンネル入力端子に結合され、前記第２及び第４可変抵抗手段の前記第１端子が前記第２チャンネル入力端子に結合されたオーディオイメージ制御装置。
【請求項１６】
請求項１５に記載したしオーディオイメージ制御装置において、
前記第１可変抵抗手段の前記可変センタータップが前記第１増幅器手段の前記第１入力に結合され、
前記第２可変抵抗手段の前記可変センタータップが前記第２増幅器手段の前記第１入力に結合され、
前記第３可変抵抗手段の前記可変センタータップが前記第１増幅器手段の前記第２入力に結合され、
前記第４可変抵抗手段の前記可変センタータップが前記第２増幅器手段の前記第２入力に結合されたオーディオイメージ制御装置。
【請求項１７】
請求項１５に記載のオーディオイメージ制御装置において、前記第１、第２、第３及び第４可変抵抗手段が回転ポテンシオメータを含むオーディオイメージ制御装置。
【請求項１８】
請求項１５に記載のオーディオイメージ制御装置において、前記第１、第２、第３及び第４の可変抵抗手段が更に、単一共通回転シャフトを共有するポテンシオメータを含むオーディオイメージ制御装置。
【請求項１９】
請求項１５に記載のオーディオイメージ制御装置において、前記第１、第２、第３及び第４の可変抵抗手段を制御する可動化アクチュエータ手段を含むオーディオイメージ制御装置。
【請求項２０】
請求項１９に記載のオーディオイメージ制御装置において、前記可動化されたアクチュエータ手段を制御する制御手段と、前記制御手段のための制御データを蓄積する蓄積メモリを含むオーディオイメージ制御装置。
【請求項２１】
請求項２０に記載のオーディオイメージ制御装置において、前記制御手段がマイクロプロセッサであるオーディオイメージ制御装置。
【請求項２２】
各々が反転入力と非反転入力と出力を含む第１及び第２差動増幅器と、
第１及び第２オーディオ信号を受信する入力手段と、
前記第１及び第２の差動増幅器の前記非反転入力に印加された前記第１及び第２オーディオ信号の混合を制御し、前記第１差動増幅器の前記非反転入力に印加される前記第１オーディオ信号の割合が前記第２差動増幅器の前記非反転入力に印加される前記第２オーディオ信号の割合に等しくするための第１制御手段と、
第１と第２の分割された信号をつくるために夫々前記第１と第２のオーディオ信号を分割する第１及び第２デバイダ回路網と、
前記第１及び第２の差動増幅器の前記反転入力に印加された前記第１及び第２の分割された信号の混合を制御し、前記第１差動増幅器の前記反転入力に印加される前記第１の分割された信号の割合が前記第２差動増幅器の前記反転入力に印加される前記第２の分割された信号の割合に等しくするための第２制御手段と、の組み合わせを含み、
前記第１及び第２制御手段が結合され、前記分割された信号と前記オーディオ信号の混合が同時に制御できるようになしたオーディオイメージ制御装置。
【請求項２３】
各々が第１、第２入力及び出力を含む第１及び第２差動増幅器と、
第１及び第２オーディオ信号を受信する入力手段と、
前記第１及び第２の差動増幅器の前記第１入力に印加された前記第１及び第２オーディオ信号の混合を制御し、前記第１差動増幅器の前記第１入力に印加される前記第１オーディオ信号の割合が前記第２差動増幅器の前記第１入力に印加される前記第２オーディオ信号の割合に等しくするための第１制御手段と、
第１と第２の分割された信号をつくるために夫々前記第１と第２のオーディオ信号を分割する第１及び第２信号デバイタ回路網と、
前記第１及び第２の差動増幅器の前記第２入力に印加された前記第１及び第２の分割された信号の混合を制御し、前記第１差動増幅器の前記反転入力に印加される前記第１の分割された信号の割合が前記第２差動増幅器の前記第２入力に印加される前記第２の分割された信号の割合に等しくするための第２制御手段と、の組み合わせを含み、
前記第１及び第２制御手段が結合され、前記分割された信号と前記オーディオ信号の混合が同時に制御されるようになしたオーディオイメージ制御装置。
【請求項２４】
請求項２３に記載のオーディオイメージ制御装置において、前記第１及び第２差動増幅器の前記第１入力が非反転入力を含み、前記第１及び第２差動増幅器の前記第２入力が反転入力を含むオーディオイメージ制御装置。
【請求項２５】
請求項２３に記載のオーディオイメージ制御装置において、前記第１及び第２差動増幅器の前記第１入力が反転入力を含み、前記第１及び第２差動増幅器の前記第２入力が非反転入力を含むオーディオイメージ制御装置。
【請求項２６】
各々が第１、第２入力及び出力を含む第１及び第２差動増幅器と、
第１及び第２オーディオ信号を受信する入力手段と、
前記第１及び第２オーディオ信号の混合を制御して、混合されたオーディオ信号を前記第１及び第２差動増幅器の前記第１入力に供給し、前記第１差動増幅器の前記第１入力に供給される前記第１オーディオ信号の割合が前記第２差動増幅器の前記非反転入力に印加される前記第２オーディオ信号の割合に等しくするための第１制御手段と、
前記第１及び第２オーディオ信号を減衰して第１及び第２減衰信号を得る第１及び第２信号減衰手段と、
前記第１及び第２減衰信号の混合を制御して、混合された減衰信号を前記第１及び第２差動増幅器の前記第２入力に供給し、前記第１差動増幅器の前記第２入力に供給される前記第１減衰信号の割合が前記第２差動増幅器の前記第２入力に供給される前記第２減衰信号の割合に等しくするための第２制御手段と、の組み合わせを含み、
前記第１及び第２制御手段が結合され、前記減衰された信号と前記オーディオ信号の混合が同時に制御されるようになしたオーディオイメージ制御装置。
【発明の詳細な説明】
【０００１】
【発明の属する技術分野】
本発明は、ステレオ記録又は再生システムに使われるオーディオイメージ制御装置に関し、特に、単一制御素子の操作によって多数のイメージモードが得られるオーディオイメージ制御装置に関する。
【０００２】
【従来の技術】
適正なオーディオ再生システムを介して聴取エリアにおいて後に再生するために、音楽演奏等を表すオーディオ情報がしばしば記録媒体に記録される。再生に際しては、その再生された音がその再生された音を聴く者に原の演奏の知覚を与える、向上した真に迫った聴覚品質を持つことがしばしば望まれる。
【０００３】
再生に際して、この向上した聴覚品質を得るために、記録されたオーディオ情報を再生するために多チャンネル・オーディオシステムがしばしば用いられる。何故ならば、多チャンネルシステムは再生に際して知覚される「サウンドステージ」またはオーディオ「イメージ」（音像）をより鮮明にするからである。
【０００４】
サウンドステージ及びイメージは一般に再生された音がそこから発せられると知覚する見かけの音響ステージを指す。オーディオ信号の再生の際に真に迫った聴覚品質を明確にすることにおいて、多チャンネル再生システムが提供する利益を十分に利するためには、記録媒体上に記録される前にオーディオ信号を処理することが一般的には有益である。そうすることによって、個々の音はそれらの位置及びサウンドステージ内での相対的大きさがもっと充分に定義できるようにサウンドステージ内で再生できる。
【０００５】
これを達成するためには、オーディオ制御装置は一般に「イメージング・コントロール」、「イメージャ」、「ワイドネス・コントロール」と言われるオーディオ制御装置が、オーディオ情報を記録又はミックスダウンするプロセスの間に用いられる。
【０００６】
こうしたイメージ制御は、しばしば録音／ミックスダウン処理又は携帯録音装置に用いられるオーディオミキシングコンソールに組み込まれ、その音声信号のステレオベース又はイメージモードを変えたり制御するのに使われる。
【０００７】
ステレオオーディオシステムにおいては、イメージモードの例として、例えば、「ステレオ」モード、「反転ステレオ」モード、「ワイド」、「反転ワイド」モード、「左」モード、「右」モード、「モノ」又は「モノラル」モードを含む。
【０００８】
選択されたイメージモードにより、このイメージ制御は、記録媒体の１以上の記録チャンネルの各々にわたって記録されるべきオーディオ信号を適正レベルにするとともに、再生時の所望のイメージモード効果を達成するために適正な位相特性を与える。
【０００９】
各特定のオーディオチャンネルに割り当てられたオーディオ信号を処理するため、オーディオミキシングコンソールはイメージ制御装置を含む。これらのイメージ制御装置は、スイッチ又はポテンシオメータ等の１以上の制御素子を操作することによって、ミキシングコンソールのオペレータが、オーディオミキシングコンソールの信号経路に選択的に組み合わせるか、あるいは、挿入できる。
【００１０】
一般に、オーディオイメージ制御装置がオーディオ信号を処理するために多数のイメージモードを提供することが良い。更に、ミキシングコンソールのオペレータにとって録音処理が複雑化するのを避けるために、所望の結果を得るために手動で操作しなければならない制御素子を最低限の数とすることが好ましい。
【００１１】
現在使うことができるイメージコントロール装置の例として、ＡＭＥＫ社製のＡＭＥＫ ＢＣＩＩＩ又はクラシック、ＮＥＶＥ社製のＮＥＶＥ５５シリーズ、又はソリッドステートロジック社製のＳＬ−５０００Ｍシリーズミキシングコンソールを含む。
【００１２】
この種のイメージ制御装置はそれらが提供する能力及び特色が色々違っている。例えば、ＡＭＥＫ ＢＣＩＩＩ等のいくつかのイメージ制御装置は、ポテンシオメータ等の単一制御素子の操作を行って、ユーザーが「ステレオモード」から「モノ」モード、左右「反転ステレオ」モードにオーディオ信号のイメージモード を変えられるようになっている。
【００１３】
ソリッドステートロジックＳＬ−５０００Ｍシリーズ等の他のものでは、回転制御素子及びセパレート幅制御ボタンを操作することによって音声信号イメージモードを「ステレオ」から「モノ」、「反転ステレオ」に変えることができる。
【００１４】
他のものは、オーディオイメージモードを単一制御素子を操作することによって「左右」から「モノ」、「右左」に変えられるようになっている。こうした型のイメージ制御装置はイメージの質及び特性を再生のときに所望の結果を生むように変えることができるとは言え、単一制御素子の操作によって操作できるものはそれらが提供できるイメージモードの数が限られている。
【００１５】
もっと拡張した数の得ることのできるイメージモードを提供できるものは、不幸にして一般にはオペレータが１以上の制御素子を操作しなければならない。１制御素子よりも多くの制御素子を扱わなければならないという欠点は別にしても、これらの付加した制御素子はイメージ制御装置の製造に関連したコストを増す。
【００１６】
他のタイプのイメージ制御装置は、１９９４年２月２５日に出願してステレオイメージ制御回路（Stereo Image Control Circuit）と題する米国特許出願に記載されている。
【００１７】
この出願は本発明の譲り受け人に譲渡され、ここに参照する事により組み込まれている。この種のイメージ制御装置は、回転ポテンシオメータ等の単一制御素子を操作することにより音声信号のイメージモードを多数のイメージモードにわたり変えることができる。
【００１８】
この方法で、ステレオオーディオ信号のイメージモードは「ワイド」から「ステレオ」、「モノ」へのイメージモードのレンジにわたり、望み通りに変えられる。
【００１９】
図１はこの種のイメージ制御装置の回路図である。この種のイメージ制御装置は、複数のイメージモードと単一制御素子による易しい使い方という明瞭な利点を提供するが、それは、実現するのに抵抗器１，２，３，４，５，６，７，８，９，１０，１１，１２，１３，１４，１５，１６，１７，１８，１９，２０，２１，２２，２３及び２４、ポテンシオメータ２５，２６，２７及び２８、演算増幅器２９，３０，３１，３２，３３及び３４等の実質的な回路及び部品も使う。
【００２０】
【発明が解決しようとする課題】
従来のオーディオイメージ制御装置の上述の欠点を克服するオーディオイメージ制御装置を提供することが本発明の１つの目的である。更に詳しく言えば、本発明は、多数の制御素子の操作を要せず多数の制御モードが得られるオーディオイメージ制御装置を提供することにある。
【００２１】
更に本発明はマルチモード・イメージ装置を実施するのに必要な回路の複雑さを軽減しようとしている。
【００２２】
【課題を解決するための手段】
本発明は、多数制御素子の手動操作の必要なしにイメージ制御の利点を提供する。更に、実現するのに必要な回路が最小であるから、コストの面で有効なイメージ制御装置を提供する。
【００２３】
下記の本発明の説明の概観によれば、当業者にとっては、本発明のこれら及び他の目的、利点及び特色は明らかであろう。
【００２４】
本発明の一つの観点によれば、第１の差動増幅器と第２の差動増幅器とを備え、その各々が第１及び第２入力及び出力を持つ。第１の差動増幅器の第１の入力に対してその入力を可変的に制御するために、第１チャンネル入力端子と第２チャンネル入力端子の間に結合された第１可変抵抗器がある。
【００２５】
第２差動増幅器の第１の入力に対する信号入力を可変的に制御するために、第１チャンネル入力端子と第２チャンネル入力端子の間に結合された第２可変抵抗器がある。
【００２６】
第１及び第２固定抵抗デバイダを介して、第１チャンネル入力端子と第２チャンネル入力端子の間に結合された第３の可変抵抗器がある。この第３の可変抵抗器は第１差動増幅器の第２入力に対し、信号入力を可変的に制御するのに使われる。
【００２７】
第１及び第２固定抵抗デバイダを介して第１チャンネル入力端子及び第２チャンネル入力端子に結合された第４の可変抵抗器が更に設けられている。この第４の可変抵抗器は、第２差動増幅器の第２入力に対する信号入力を可変的に制御するのに使われている。
【００２８】
第１、第２、第３及び第４可変抵抗器は同時に可変するように結合することができる。これらの可変抵抗器は、単一の共用回転制御シャフトによって制御できるように結合された複数の回転ポテンシオメータとすることができる。
【００２９】
一端の時計回り位置から中央又は中間位置を通って一端の反時計回り位置にこの回転制御シャフトを回転することによって、ステレオ又は２チャンネル入力信号のイメージモードをワイドモードからステレオモード、中央または中間位置に対応するモノモードに変えることができる。
【００３０】
中央点またはモノモードから、回転制御シャフトが更に反時計方向に回転して末端の反時計回り位置で反転ワイドモードになる「反転ステレオ」モードを得る。
【００３１】
本発明は、「０」モノモードから、「ステレオモード」を介して、もっと広大な真に迫ったイメージ効果を与える、より大きなディメンジョンまたは「ワイド」モードにステレオベースを円滑に変えることにより、ステレオオーディオプログラムの両チャンネル間のベースを制御することによって、ステレオイメージの自由度を与える。
【００３２】
同様にして、本発明は、２つの入力信号の定位を反対にすること、及びステレオベースを「０」モノモードから「反転ステレオ」モードを通して「反転ワイド」モードに円滑に変えることによってステレオオーディオプログラムの両チャンネル間のベースを制御するためになされたものであり、向上された、真に迫ったイメージ品質を与える。
【００３３】
本発明の他の観点によれば、特許請求の範囲に記載されたイメージ制御装置は手動で操作できるように実施され、あるいは、マイクロコンピュータ等の自動化された制御装置を通して制御できる。
【００３４】
本発明の新規な特徴は特許請求の範囲に特定して記載されている。しかし、構成及び操作方法、並びに他の目的及び利点に関しては、本発明は、下記の発明の詳細な説明及び添付図面を参照して良く理解できるであろう。
【００３５】
【発明の実施の形態】
図２、図３及び図４を参照して、本発明の好ましい実施例の説明をする。この実施例は第１及び第２のオーディオ信号路、即ちチャンネルを備えたものである。第１のオーディオ信号チャンネルは第１チャンネル入力端子Ａ及び第１チャンネル出力端子Ｘによって定義される。
【００３６】
この第２オーディオ信号チャンネルは第２チャンネル信号入力Ｂと第２チャンネル出力端子Ｚによって定義される。第１可変抵抗器Ｒｐ１は、センタータップワイパーを有し、第１チャンネル入力端子Ａと第２チャンネル入力端子Ｂにまたがって接続されている。
【００３７】
可変抵抗器Ｒｐ１のセンタータップワイパーは、差動増幅器４０の入力４１に接続されている。第２可変抵抗器Ｒｐ２は第１チャンネル入力端子Ａ及び第２チャンネル入力端子Ｂにまたがっても接続されている。可変抵抗器Ｒｐ２のセンタータップワイパーは差動増幅器５０の入力５２に接続されている。
【００３８】
第３の可変抵抗器Ｒｐ３は、固定抵抗器Ｒａ１及びＲａ２を介して、第１チャンネル入力端子Ａと第２チャンネル入力端子Ｂにまたがって接続されていて、Ｒａ１は可変抵抗器Ｒｐ３の１端子を第１入力端子Ａに接続し、固定抵抗器Ｒａ２は可変抵抗器Ｒｐ３の他の端子を第２チャンネル入力端子Ｂに接続する。
【００３９】
可変抵抗器Ｒｐ３のセンタータップワイパーは差動増幅器４０の入力４２に接続されている。第４の可変抵抗器Ｒｐ４は可変抵抗器Ｒｐ３にまたがってそれと並列になるように接続されている。
【００４０】
この可変抵抗器Ｒｐ４のセンタータップワイパーは差動増幅器５０の入力５１に接続されている。固定抵抗Ｒｂ１はグラウンドと、可変抵抗器Ｒｐ３と固定抵抗器Ｒａ１の接続点との間に接続されている。
【００４１】
第４の固定抵抗器Ｒｂ２は、グラウンドと、可変抵抗器Ｒｐ３と固定抵抗器Ｒａ２の間の接続点との間に接続される。差動増幅器４０は第１チャンネル出力端子Ｘに信号を出力する。差動増幅器５０は第２チャンネル出力端子Ｚに信号を出力する。
【００４２】
好ましい実施例においては、差動増幅器４０と５０の入力４１及び５２は非反転入力であり、入力４２と５１は反転入力である。図４を参照すると、入力４１と５２は差動増幅器４０と５０の反転入力ともなることができ、その時には入力４２と５１は非反転である。
【００４３】
好ましい実施例においては、可変抵抗器Ｒｐ１，Ｒｐ２，Ｒｐ３及びＲｐ４は同じ抵抗値のリニヤーテーパーポテンシオメータにするのが好ましい。好ましい実施例においては、これらの抵抗値は１０Ｋオームである。
【００４４】
回転ポテンシオメータＲｐ１，Ｒｐ２，Ｒｐ３及びＲｐ４は単一ポテンシオメータ制御シャフトの回転によって制御できるように連携されている。可変抵抗器Ｒｐ１とＲｐ４はポテンシオメータ・シャフトが時計回りに回転するときにセンタータップワイパーと第１チャンネル入力端子Ａの間のＤＣ抵抗が減少されるように第１チャンネル入力端子Ａと第２チャンネル入力端子Ｂにまたがって接続されていることに注意すべきである。
【００４５】
また、逆に可変抵抗器Ｒｐ２とＲｐ３に関しては、これらのポテンシオメータは、ポテンシオメータ・シャフトが時計回りに回転したときに、センタータップ端子と第１チャンネル入力端子Ａの間のＤＣ抵抗が増加されるように第１チャンネル入力端子Ａと第２チャンネル入力端子Ｂにまたがって接続されている。
【００４６】
このように、ポテンシオメータ・シャフトが時計回りに回転されるとき、センタータップワイパーと入力端子Ａの間のＤＣ抵抗値はポテンシオメータＲｐ２とＲｐ３では増加し、センタータップワイパーと入力端子Ａの間のＤＣ抵抗はポテンシオメータＲｐ１とＲｐ４では減少する。
【００４７】
固定抵抗器については、固定抵抗Ｒａ１とＲａ２が等しい値となるように選ばれる。さらに、固定抵抗器Ｒｂ１とＲｂ２も等しい抵抗値となるように選ばれる。抵抗値Ｒｂ１とＲｂ２に関して、Ｒａ１とＲａ２の抵抗値は
０≦〔Ｒｂ／（Ｒａ＋Ｒｂ）〕＜１
ただし、Ｒｂ＝Ｒｂ１＝Ｒｂ２，Ｒａ＝Ｒａ１＝Ｒａ２となるように選ばれる。
【００４８】
言及した制限を満たすＲａ１，Ｒａ２，Ｒｂ１，Ｒｂ２に対する抵抗値のレンジがあるが、好ましい実施例においては、Ｒａ１，Ｒａ２，Ｒｂ１，Ｒｂ２の値は５．１Ｋオームに選ばれている。図２を参照すると、伝達関数ＫはＲｂ／（Ｒａ＋Ｒｂ）に等しい。
【００４９】
差動増幅器４０及び５０に付いては、任意の数の差動増幅器の構成が用いられるが、好ましい実施例においては、これらの差動増幅器はアナログ・デバイスＯＰ ２７５演算増幅器等の演算増幅器回路に基く標準構成のものである。
【００５０】
勿論、他のモデルのＩＣ演算増幅器またはディスクリート部品増幅器を使っても目的を達成することができ本発明の利点を得ることができることを認識すべきである。
【００５１】
可変抵抗器Ｒｐ１，Ｒｐ２，Ｒｐ３，Ｒｐ４によって共有されている単一回転ポテンシオメータ・シャフトを回転させて、種々のイメージモードが得られる。図５は、同じ回転制御シャフトを共用する様に全部で４個の可変抵抗器Ｒｐ１，Ｒｐ２，Ｒｐ３，Ｒｐ４が連結されている単一回転制御シャフトの概略位置と関連して、好ましい実施例に対して得ることができるイメージモードを示す。
【００５２】
好ましい実施例においては、回転制御シャフトが末端、即ち全時計回り位置（図中の矢印ＣＷ方向に回転しきった位置）に回転された時、ワイドイメージモードが得られることがわかる。ポテンシオメータの回転制御シャフトが末端の反時計回り位置に回転すると、反転ワイドモードが得られる。
【００５３】
制御シャフトをおおよそのセンター位置に回転してモノモードを得ることができる。更に、回転制御シャフトを中央位置と全時計回り位置の間のほぼ中間の点に位置決めすることにより、ステレオモードが得られる。
【００５４】
同様にして、制御シャフトが中央点と全反時計回り位置の間のほぼ中間の点に回転すると反転ステレオモードになる。種々のイメージモードに対する出力Ｘ及びＺの伝達率は下記の表Ａにもっと充分に記載されている。
Ｌｏｕｔ＝第１チャンネル出力端子Ｘでの差動増幅器４０の出力；
Ｒｏｕｔ＝第２チャンネル出力端子Ｚでの差動増幅器５０の出力；
Ｌｉｎ＝第１チャンネル入力端子Ａに対する信号入力；
Ｒｉｎ＝第２チャンネル入力端子Ｂに対する信号入力；
Ｋ＝Ｒｂ／（Ｒａ＋Ｒｂ），０≦〔Ｒｂ／（Ｒａ＋Ｒｂ）〕＜１
Ｒｂ＝Ｒｂ１＝Ｒｂ２，Ｒａ＝Ｒａ１＝Ｒａ２
【００５５】
Ｘ及びＺでの全体での信号出力レベルを異なったイメージモードの各々にわたり相対的に一様に保つために、Ｋ＝Ｒｂ／（Ｒａ＋Ｒｂ）＝０．５，Ｒａ＝Ｒｂとするのが好ましい。
【００５６】
表Ａ
イメージモード            特性
ワイド          Ｌｏｕｔ＝Ｌｉｎ−Ｋ（Ｒｉｎ）
Ｒｏｕｔ＝Ｒｉｎ−Ｋ（Ｌｉｎ）
ステレオ        Ｌｏｕｔ＝Ｌｉｎ
Ｒｏｕｔ＝Ｒｉｎ
モノ            Ｌｏｕｔ＝Ｒｏｕｔ＝（Ｒｉｎ＋Ｌｉｎ）（１−Ｋ）
反転ステレオ    Ｌｏｕｔ＝Ｒｉｎ
Ｒｏｕｔ＝Ｌｉｎ
反転ワイド      Ｌｏｕｔ＝Ｒｉｎ−Ｋ（Ｌｉｎ）
Ｒｏｕｔ＝Ｌｉｎ−Ｋ（Ｒｉｎ）
【００５７】
可変抵抗器Ｒｐ１，Ｒｐ２，Ｒｐ３，Ｒｐ４は、回転ポテンシオメータに限定されず、リニヤートラック型スライダ抵抗器またはコンピュータ制御抵抗器パックを含む多くの形態がとれる。
【００５８】
図６を参照すると、本発明は、可変抵抗器Ｒｐ１，Ｒｐ２，Ｒｐ３，Ｒｐ４が可動化された制御素子６０を備えることができ、それによって、機械的設定を変えたり調整したりして、その可動化された制御素子を働かせた時得られるイメージモードを変えることを意図している。
【００５９】
そのような可動化された制御機構はそれ自身本発明の他の実施例とすることができ可変抵抗器Ｒｐ１，Ｒｐ２，Ｒｐ３，Ｒｐ４に対する調整は手動操作の必要無しでコンピュータ化された制御装置７０を通して達成できる。
【００６０】
更に詳しく言えば、制御情報は、例えば、メモリ８０に蓄積され、その後所望のイメージモード、即ちメモリに蓄積された情報によって表される可変抵抗器設定を有効にするように呼び出されることができる。
【００６１】
可変抵抗器Ｒｐ１，Ｒｐ２，Ｒｐ３，Ｒｐ４は、コンピュータ制御された抵抗器パック等であり、コンピュータ化された制御装置７０は図７に図解されたような可変抵抗器を制御するのに使うことができる。
【００６２】
特許請求の範囲及び精神を逸脱しない範囲で本発明が種々変更できることは、当業者には認識できるであろう。
【００６３】
【発明の効果】
本発明は、上述の構成を備えることにより、多数の制御素子の操作を要せず多数の制御モードが得られるオーディオイメージ制御装置を提供することができる。更に本発明はマルチモード・イメージ化装置を実施するのに必要な回路の複雑さを軽減することができる。
【図面の簡単な説明】
【図１】イメージ制御回路の回路図である。
【図２】本発明の一実施例のブロック図である。
【図３】本発明の一実施例のブロック図である。
【図４】本発明の第２の実施例のブロック図である。
【図５】可変抵抗器Ｒｐ１，Ｒｐ２，Ｒｐ３及びＲｐ４のワイパー位置に関して得られるイメージモードを示す線図である。
【図６】本発明の第２の実施例のブロック図である。
【図７】本発明の第３の実施例のブロック図である。
【符号の説明】
Ａ  第１チャンネル入力端子
Ｂ  第２チャンネル入力端子
Ｘ  第１チャンネル出力端子
Ｚ  第２チャンネル出力端子
Ｋ  伝達関数
Ｒｐ１，Ｒｐ２，Ｒｐ３，Ｒｐ４  可変抵抗器
【図１】
0003689451.tif 000002
【図２】
0003689451.tif 000003
【図３】
0003689451.tif 000004
【図４】
0003689451.tif 000005
【図５】
0003689451.tif 000006
【図６】
0003689451.tif 000007
【図７】
0003689451.tif 000008